(57)【要約】【課題】床との密着性を高め、効率よく床面の汚れを取る。【解決手段】モップ保持部の保持具本体１０は、柄１４と継手１６を介して連結される上部カバー２４と、上部カバー２４と取り付け機構２０、２２を介して固定され、巻回されたモップＭの長手方向に沿った端部を保持する保持機構を有する保持部材２６と、保持部材の下方に配置され、床面と対向する清掃面および保持部材２６の周壁を少なくとも部分的に覆う周縁部とを有する底板部材２８と、保持部材２６と底板部材２８の間に配置された緩衝材３０とを有する。緩衝材として、たとえば、気泡緩衝材を利用することができる。【選択図】  図３
2004187910.tif 000002
【特許請求の範囲】
【請求項１】
使用者が把持する柄と継手を介して連結されるモップを保持するための保持具本体を有するモップ保持具であって、
前記保持具本体が、前記柄と継手を介して連結される上部カバーと、
前記上部カバーと取り付け機構を介して固定され、巻回されたモップの長手方向に沿った端部を保持する保持機構を有する保持部材と、
前記保持部材の下方に配置される底板部材と、
前記保持部材と前記底板部材の間に配置された緩衝材とを有することを特徴とするモップ保持具。
【請求項２】
前記底板部材が、床面と対向する清掃面と、前記保持部材の周壁を少なくとも部分的に覆う周縁部とを有することを特徴とする請求項１に記載のモップ保持具。
【請求項３】
前記底板部材が、弾性材料で形成されることを特徴とする請求項２に記載のモップ保持具。
【請求項４】
前記底板部材が、少なくとも複数部分に分割できることを特徴とする請求項１ないし３の何れか一項に記載のモップ保持具。
【請求項５】
前記底板部材が、前記長手方向に垂直な少なくとも一以上の分割線に沿って複数部分に分割されることを特徴とする請求項４に記載のモップ保持具。
【請求項６】
前記緩衝材が、少なくとも複数部分に分割できることを特徴とする請求項１ないし３の何れか一項に記載のモップ保持具。
【請求項７】
前記緩衝材が、前記長手方向に垂直な少なくとも一以上の分割線に沿って複数部分に分割されることを特徴とする請求項６に記載のモップ保持具。
【請求項８】
前記底板部材が、前記緩衝材の分割線と一致する分割線に沿って複数部分に分割されていることを特徴とする請求項７に記載のモップ保持具。
【請求項９】
前記緩衝材が、その全面に緩衝効果を有し、内部に空気層を包含する多数の小領域が形成されることを特徴とする請求項１ないし８の何れか一項５に記載のモップ保持具。
【発明の詳細な説明】
【０００１】
【発明の属する技術分野】
本発明は、モップを固定保持するモップ保持具に関する。
【０００２】
【従来の技術】
従来、モップを取り付けて保持するためのモップ保持具として、たとえば、特許文献１にモップ保持具が開示されている。このモップ保持具においては、モップ保持具を上側押え板と下側保持板とに分割し、下側保持板の下面にあてたモップの両端を下側保持板の上面へと折り返し、上下双方の保持板間でモップの折り返し部分を挟持する。
【０００３】
また、弾性体にモップを装着する掃除具は、たとえば、特許文献２に開示されている。この掃除具においては、特許文献２の図１に示すように、保持板１の下面１ａに固定された弾性体２に、拭布３をその周辺部３ａで拭布挟持部４に挟持固定して巻装することにより本体部１０を組立て、本体部１０の上面にカバー体部２０を当接させている。このような構成により、カバー６の突起部７及びその先端の押圧体８で拭布３の周辺部３ａを押圧して、弾性体２と押圧体８とで拭布を更に強く挟持固定することができるようになっている。さらに、弾性体２は、床等の凹凸のある清掃面に、弾性変形をして密着する柔軟性を有している。
【０００４】
また、弾性体にモップを装着する掃除具として、たとえば、特許文献３にも提案されている。この掃除具においては、薄手の繊維布を被せ、把手を操作して床面の集塵を行う掃除具の弾性体表面に多数の凹凸部を形成し、床面に凹凸があってもその変化に対応して塵を均一に収集できるように構成されている。
【０００５】
【特許文献１】
特開平１１−７６１２６号公報
【０００６】
【特許文献２】
実公平７−４０３５９号公報
【０００７】
【特許文献３】
特許第３０２７３４５号公報
【０００８】
【発明が解決しようとする課題】
しかしながら、上記特許文献１に記載されたようなモップ保持具においては、上側押え板に柄を介してハンドルパイプが取り付けられているので、下側保持板の下面にあてたモップの両端を下側保持板の上面へと折り返し、上側押え板を取り付ける際、ハンドルパイプが邪魔になり取り付けにくい。
また、上側押え板に設けられたロック機構により下側保持板に取り付けられるので、薄いモップ時にはモップがずれやすく、さらに、厚いモップの時はロック時に非常に強い力が必要になる。
【０００９】
上記特許文献２に記載されたような掃除具においては、保持板１の下面１ａに固定された比較的厚みのある弾性体２を、たとえば、発泡ポリウレタンや発泡エチレンなどの材料を用いなければならず、材料コストがかかるという問題点があった。さらに、加工製作された弾性体は、その厚みのため比較的重量があり、掃除具を操作するのが容易ではないという問題点もあった。
【００１０】
さらに、上記特許文献３に記載されたような掃除具においては、薄手の繊維布を被せ、把手を操作して床面の集塵を行う掃除具の弾性体表面に多数の凹凸部を形成しなければならず、製作コストがかかるという問題点があった。
本発明は、モップ保持具に取り付けられる厚みの異なるモップを挟んで着実に固定でき、かつ、床面との密着性を高めて、効率よく床面の汚れを取ることができるモップ保持具を提供することを目的とする。
【００１１】
【課題を解決するための手段】
本発明の目的は、使用者が把持する柄と継手を介して連結されるモップを保持するための保持具本体を有するモップ保持具であって、前記保持具本体が、前記柄と継手を介して連結される上部カバーと、前記上部カバーと取り付け機構を介して固定され、巻回されたモップの長手方向に沿った端部を保持する保持機構を有する保持部材と、前記保持部材の下方に配置される底板部材と、前記保持部材と前記底板部材の間に配置された緩衝材とを有することを特徴とするモップ保持具により達成される。
【００１２】
本発明によれば、保持部材と底板部材との間に緩衝材を設けたことにより、底板部材と床面との密着性を高め、清掃効果を向上させることができる。また、緩衝材を設けることにより、床面を傷つけるおそれを減じることも可能となる。
【００１３】
好ましい実施態様においては、底板部材が、床面と対向する清掃面と、前記保持部材の周壁を少なくとも部分的に覆う周縁部とを有する。周縁部を部分的に覆うことにより、保持部材の端部や隅部が家具等にあたっても、家具等に損傷を与えることが防止される。
また、好ましい実施態様においては、前記底板部材が、弾性材料で形成されている。これにより、緩衝材と協働して、より床面との密着性を高めることが可能となる。
【００１４】
別の好ましい実施態様においては、底板部材が、少なくとも複数部分に分割できる。より好ましくは、底板部材が、前記長手方向に垂直な少なくとも一以上の分割線に沿って複数部分に分割される。これにより、底板部材が部分的に損傷した場合、その部分のみを交換すればよく、交換部品のコストを下げることが可能となる。
【００１５】
また、別の好ましい実施態様においては、緩衝材が、少なくとも複数部分に分割できる。ここでも、緩衝材が、前記長手方向に垂直な少なくとも一以上の分割線に沿って複数部分に分割されるのが望ましい。さらに、これら実施態様において、前記底板部材が、前記緩衝材の分割線と一致する分割線に沿って複数部分に分割されているのが望ましい。
また、好ましい実施態様においては、緩衝材が、その全面に緩衝効果を有し、内部に空気層を包含する多数の小領域が形成されている。このような緩衝材は著しく軽量であるため、モップ保持具の重量を小さく維持することができる。
【００１６】
【発明の実施の形態】
以下、添付図面を参照して、本発明の実施の形態につき説明を加える。図１は、本発明の実施の形態にかかるモップ保持具１０の全体斜視図である。
図１に示すように、モップ保持具１０は、モップＭを取り付け保持する保持具本体１２と、使用者が把持する取手部分を取り付ける金属製の中空パイプで製作された柄１４と、保持具本体１２と柄１４とを連結するための継手１６とを備えている。保持具本体１２の上部カバー２４には、後述する保持部材２６を固定／解除するための第１取り付け機構２０、第２取り付け機構２２と、継手１６と協働する金属製のアーム１８とを有している。本実施の形態において、継手１６の下端に設けられる二股部が、アーム１８の略中央部に設けられている球状部と係合することにより、モップの柄１４が、保持具本体１２に対して、所定の範囲で前後左右に自在に動くことが可能となる。
【００１７】
なお、本実施の形態において、保持具本体１２に取り付けるモップＭとして、たとえば、表面に油剤を含浸した多数のナイロン糸を、たとえば放射状に植え込んだものを使用することができる。たとえば、モップＭの一方の面において、不織布、或いは、通常の布（たとえばフェルト）上、モップＭ取り付け時に床面と対向する部分にナイロン糸を植え込んでおけばよい。本実施の形態においては、上述したモップＭのほか、薬品などを含浸した不織布などを利用することが可能である。また、後述する可動部材５６や突出片などにより、種々の厚みのモップＭを保持することが可能である。
【００１８】
次に、モップ保持具１０の平面図である図２、図２のＡ−Ａ線断面図である図３、上部カバー２４を外した状態を示す図である図４および底面図である図５を参照して保持具本体１２の構成を詳細に説明する。
図２および図３に示すように、保持具本体１２は、プラスチック材料にて一体成型されている上部カバー２４、保持部材２６、弾性材料にて一体成型されている底板部材２８、および、気泡緩衝材３０から構成される。
【００１９】
上部カバー２４には、その上面の両側部略中央に後述する第１取り付け機構２０および第２取り付け機構２２を取り付けるための、第１スライド溝３２と第２スライド溝３４が形成され、それぞれの略中央に第１スライド穴３６と第２スライド穴３８が設けられている。
【００２０】
第１取り付け機構２０および第２取り付け機構２２は、それぞれ、プラスチック材料にて一体成型されているスライド部材４０と、ロック部材４４とを有している。スライド部材４０には、略中央に下方に伸びる突出部４２が形成されている。ロック部材４４は、略中央に、スライド部材４０の突出部４２の下端を受け入れ、当該突出部と係合する穴４６と、後述する保持部材２６の係止部５２に挿入される先端部４８と、係止部５２に係止するためのフック５０とを有している。
なお、本実施の形態において、図２および図３においては、第１取り付け機構２０をロック状態、第２取り付け機構２２を、ロック解除状態として示している。
【００２１】
保持部材２６は、図３および図４に示すように、その上面において、第１取り付け機構２０および第２取り付け機構２２に対向する位置に、ロック部材４４の先端部４８を受け入れるための係止部５２を有している。また、保持部材２６の短辺方向の両側端部側壁２７には、後述するモップを挟み込むための可動部材５６の端部５７を取り付けるための取り付け穴５８がそれぞれ設けられている。
【００２２】
本実施の形態において、２つの可動部材５６は、それぞれ、ロック状態にあるときに、支持部材２６の長手方向の内壁に沿って延びる第１の部材と、当該第１の部材の両端から、それぞれ連なって略垂直方向に延びる第２の部材と、第２の部材からさらに垂直に、つまり、第１の部材と並行に延びる先端部５７とから構成される。可動部材５６の動きを説明する側面図である図６に示すように、保持部材２６に設けられた取り付け穴５８に端部５７が挿入されることにより、可動部材５６は、保持部材２６に回動可能に取り付けられる。可動部材５６は、端部５７を中心にして上方（図６の矢印ａで示す方向）に回動する。
【００２３】
保持部材２６には、それぞれの可動部材５６の細長い第１の部材のロック位置に沿った位置の２箇所で、可動部材５６と協働して、後述するモップＭを挟み込んで固定するための挟持部６０が形成されている（図１２参照）。さらに、保持部材２６の各隅部には、可動部材５６の第２の部材の周囲であって、当該第２の部材と干渉しない位置に、複数の突出部６２が長手方向に沿って設けられている。
【００２４】
突出部６２は、図４のＤ−Ｄ線拡大断面図である図７、および、図４のＥ−Ｅ線拡大断面図である図８に示すように、それぞれ一以上の第１突出片６４、第２突出片６６および第３突出片６８を有している。本実施の形態において、第１突出片６４および第２突出片６６は、それぞれ、可動部材５６がロック位置にあるときに、その内側に長手方向に沿って、４つずつ等間隔に並列配置されている。より詳細には、保持部材２６の各隅部において、その中心線から順に、２つの第１突出片６４、および、その外側に２つの第２突出片６６が配置されている。図７により詳細に示すように、第１突出片６４は、第２突出片６６と同じ高さの低片部６４ａと、低片部６４ａから上方に傾斜を有する高片部６４ｂを有している。高片部６４ｂは、低片部６４ｂの中心線から外側、つまり、ロック位置にある可動部材５６ｂに近接する側に配置される。なお、第２の突出片の高さ（第１の突出片の低片部６４ａ）の高さは、ロック位置にあるときの可動部材の上面とほぼ等しくなるように設定される。
【００２５】
４つの第３突出片６８は、保持部材２６の各隅部において、可動部材５６がロック位置にあるときに、その外側に、長手方向に沿って、第１突出片６４と第２突出片６６と同じ間隔で、それぞれ配置されている。また、第３突出片６８は、第２突出片６６とほぼ同じ高さを有している。
底板部材２８は、図３および図５に示すように、モップＭを装着して清掃の際に床面と対向する平坦な清掃面２８と、保持部材２６の周壁を覆う周縁部２９とを有している。
【００２６】
本実施の形態において、底板部材２８は、弾性材料で成型される。底板部材２８として、常温で弾性を有する高分子物質、たとえば、エラストマーなどを使用することができる。底板部材２８に弾性材料を使用することにより、清掃時に、床面との密着性を高めることができる。また、底板部材２８が、保持部材２６の周壁を覆うように構成することにより、モップ保持具１０が壁や家具などに接触した時に、壁や家具への傷や損傷を防ぐことができる。
【００２７】
気泡緩衝材３０は、図３および図２のＢ−Ｂ線拡大端面図である図９に示すように、保持部材２６の下面とほぼ同じ大きさを有し、保持部材２６の下面と底板部材２８との間に配置される。本実施の形態において、図９のＥ部拡大図である図１０により詳細に示すように、気泡緩衝材３０は、内部に空気層３１を包含する多数の少領域が形成されている。これは、モップ保持具１０にモップＭを取り付け使用する際、弾性材料で形成された底板部材２８と合わせて使用することにより、モップと床面との密着性をさらに高めるとことが可能となる。
なお、本実施の形態において使用される気泡緩衝材３０として、全面に緩衝効果を有し、底板部材２８を外して、簡単に取り外すことができるものが使用されるのが望ましい。
【００２８】
次に、図２、図３および図２のＣ−Ｃ線拡大端面図である図１１を参照して第１取り付け機構２０および第２取り付け機構２２を詳細に説明する。本実施の形態において、図２および図３は、第１取り付け部材２０のロック状態、第２取り付け部材のロック解除状態を、それぞれ示している。
なお、第１取り付け機構２０および第２取り付け機構２２は、同一構造を有しているので、同一部分には第１取り付け機構２０のみ説明し、第２取り付け機構２２の説明は省略する。
【００２９】
図２、図３および図１１に示すように、使用者は、後述するモップＭを、その間に気泡緩衝材３０を介在させた状態で底板部材２８が取り付けられた保持部材２６にしっかりと装着した後、上部カバー２４を保持部材２６に被せる。次に指等で、スライド部材４０の外側窪み４０ａを内側に押しながらスライドさせて、ロック部材４４の先端部４８を保持部材２６の係止部５２に挿入する。これに伴って、ロック部材４４の先端部４８に設けられたフック５０は、係止部５２の内側上面５４と接触しつつ、下方に撓みながらスライドした後、係止部５２に係止してロック状態になる。
【００３０】
また、上部カバー２４を外す際は、指等で、スライド部材４０の内側窪み４０ｂを外側に押しながらスライドさせて、ロック部材４４の先端部４８に設けられたフック５０を係止部５２から外す。フック５０は係止部５２の内側上面５４に接触しつつ、下方に撓みながらスライドした後、ロック解除状態になる。
次に、図４、図６およびモップ保持具１０のモップ取り付け状態を示す図である図１２を参照して、モップ保持具１０のモップＭの取り付けおよび使用方法を詳細に説明する。まず、保持部材２６に、間に気泡緩衝材３０を介在させた状態で底板部材２８を取り付けた状態にしておく。
【００３１】
使用者は、保持具本体１２の上部カバー２４の第１取り付け機構２０および第２取り付け機構２２を操作し、上部カバー２４を外した状態にする（図４参照）。次いで、使用者は、保持部材２６に取り付けられている２本の可動部材５６をそれぞれ上方に回動させる（図６に矢印ａで示す方向）。使用者は、床面等にモップＭを、清掃面を下向きにして広げ、その上に保持具本体１２を置き、モップＭの長手方向に沿った両端部を折り返し部として、保持部材２６の突出部６２にかぶさるように折り返す。使用者は、モップＭの折り返し部を位置合わせ後、可動部材５６をそれぞれ下方に回動させ（図６の矢印ｂで示す方向）、その第１の部材を挟持部６０に嵌合させ（図１１参照）、モップＭを固定する。このときに、可動部５６の第１の部材と挟持部６０との間にモップＭが挟まった状態となることが理解されるであろう（図１２参照）。
【００３２】
次いで、使用者は、上部カバー２４を保持部材２６の上部に被せ、上部カバー２４の第１取り付け機構２０および第２取り付け機構２２を操作し、上部カバー２４を保持部材２６に取り付ける。これにより、使用者は、モップ保持具１０に取り付けられたモップＭを快適に使用することができる。
また、第１取り付け機構２０および第２取り付け機構２２を操作し上部カバー２４を外し、その後、保持部材２６の可動部材５６を上方に回動させることにより、モップＭをモップ保持具１０から取り外すことができる。
【００３３】
次に、第１突出片６４ないし第３突出片６８について、より詳細に説明する。たとえば、モップＭの端部（たとえば、基布の部分）の厚みが比較的大きい場合には、可動部材５６の第１の部材と挟持部６０との間に、当該端部がしっかりと挟まり、モップＭに力（引っ張り力）が加えられても、容易に動くことはない。しかしながら、モップＭの端部の厚みが小さい場合には、モップＭに引っ張り力が加えられた場合に、モップＭが可動部材５６の第１の部材と挟持部６０との間で動いてしまう可能性がある。そこで、本実施の形態においては、各隅部に、長手方向に沿って直立した複数の突出片６４、６６、６８を設け、モップが、突出片に引っ掛かることにより、モップＭに引っ張り力が加えられても、突出部にモップが引っかかることにより、その移動を防ぐことが可能となる。
【００３４】
特に、本実施の形態においては、第１の突出片６４は、低片部６４ａと傾斜する高片部６４ｂとを有している。この高片部６４ｂの鋭角の頂部付近で、特に、モップＭを確実に捕らえ、引っ張り力が加えられた場合でも、その移動が防止される。なお、他の突出片６６、６８においても、特に直角をなす端部にて、モップＭが捕らえられ、その移動を防いでいるのは同様である。このように、本実施の形態において、保持部材２６の突出部６２は、長手方向に沿って直立した複数の突出部６４、６６および６８を有すことにより、厚みの薄いモップであっても、その移動を規制することができる。これにより、本実施の形態によれば、厚さの異なるモップを確実に挟持することができる。これは、モップ保持具使用中のモップＭのずれを少なくし、清掃効率を上げることが可能となる。
【００３５】
また、本実施の形態においては、保持具本体１２に気泡緩衝材３０を使用しているので、床面に凹凸がある場合であっても、床面との密着性を高めることができ、効率よく床面を清掃することが可能となる。また、底板部材２８を外すことによる、気泡緩衝材３０の空気層３１が損傷した場合でも、気泡緩衝材３０を簡単に交換することが可能となる。
【００３６】
図１３は、モップ保持具１０の、底板部材２８の他の例を示す図である。図１３に示すように、底板部材１００は、３つの底板部１００ａ、１００ｂおよび１００ｃを有し、かつ、気泡緩衝材も、各底板部に対応して分割されている。したがって、気泡緩衝材が部分的に損傷した場合には、対応する部分の底板部のみを取り外し、その部分の気泡緩衝材を交換することができる。また、何れかの底板部が損傷した場合にも、その部分のみを交換すれば足りる。
【００３７】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記実施の形態においては、緩衝材に気泡緩衝材を使用したがこれに限定されるものではなく、不織布で形成されたプラスチック製たわし等を使用されても良い。
【００３８】
また、前記実施の形態においては、弾性を有する底板部材にエラストマーを使用したがこれに限定されるものではなく、ゴムなどの他の弾性材料で形成されても良い。
【００３９】
さらに、前記実施の形態においては、底板部材を複数の底板部に分割し、それぞれに対応するように気泡緩衝材も分割して介在させているが、これに限定されず、単一の底板部材と、分割された複数の気泡緩衝材とが使用されていても良い。また、分割数は上記実施の形態のもの（３つ）に限定されないことは言うまでもない。
なお、本明細書において、一つの手段の機能が、二つ以上の物理的手段により実現されても、若しくは、二つ以上の手段の機能が、一つの物理的手段により実現されてもよい。
【００４０】
【発明の効果】
本発明によれば、厚みの異なるモップを確実に取り付けて固定することが可能となる。また、床との密着性を高め、効率よく床面の汚れを取ることが可能となる。
【図面の簡単な説明】
【図１】図１は、本発明の実施の形態にかかるモップ保持具の全体斜視図である。
【図２】図２は、本実施の形態にかかるモップ保持具の平面図である。
【図３】図３は、図２のＡ−Ａ線断面図である。
【図４】図４は、本実施の形態にかかるモップ保持具の上部カバーを外した状態を示す図である。
【図５】図５は、本実施の形態にかかるモップ保持具の底面図である。
【図６】図６は、本実施の形態にかかるモップ保持具の可動部材の動きを説明する側面図である。
【図７】図７は、図４のＤ−Ｄ線拡大断面図である。
【図８】図８は、図４のＥ−Ｅ線拡大断面図である。
【図９】図９は、図２のＢ−Ｂ線拡大端面図である。
【図１０】図１０は、図９のＦ部拡大図である。
【図１１】図１１は、図２のＣ−Ｃ線拡大端面図である。
【図１２】図１２は、本実施の形態にかかるモップ保持具のモップ取り付け状態を示す図である。
【図１３】図１３は、本実施の形態にかかるモップ保持具の底板部材の他の例を示す図である。
【符号の説明】
１０    モップ保持具
１２    保持具本体
１４    柄
１６    継手
１８    アーム
２０    第１取り付け機構
２２    第２取り付け機構
２４    上部カバー
２６    保持部材
２８    底板部材
３０    気泡緩衝材
４０    スライド部材
５２    係止部
５６    可動部材
６０    挟持部
６２    突出部
Ｍ      モップ
【図１】
2004187910.tif 000003
【図２】
2004187910.tif 000004
【図３】
2004187910.tif 000005
【図４】
2004187910.tif 000006
【図５】
2004187910.tif 000007
【図６】
2004187910.tif 000008
【図７】
2004187910.tif 000009
【図８】
2004187910.tif 000010
【図９】
2004187910.tif 000011
【図１０】
2004187910.tif 000012
【図１１】
2004187910.tif 000013
【図１２】
2004187910.tif 000014
【図１３】
2004187910.tif 000015